(57)【特許請求の範囲】
【請求項１】
コンデンサ素子用陽極基体を長尺材料から切り出す切断装置であって、長尺材料を切断する上刃を備えた上刃用支持台と下刃を備えた下刃用支持台とを有し、これらの支持台は装着台に上下摺動自在に装着されており、該装着台は着脱自在に装置本体に取り付けられており、上刃と下刃、これらの支持台、及び装着台からなる切断ユニットが装置本体に対して着脱自在に形成されていることを特徴とするコンデンサ素子用材料の切断装置。
【請求項２】
装着台の表面に、一対のガイド部材が並列に設けられており、これらのガイド部材に上刃用支持台と下刃用支持台がおのおの上下摺動自在に設けられており、上刃用支持台はその上端部が下刃用支持台の上側に突き出ており、この上端部に上刃が下向きに設けられており、下刃用支持台の上端には下刃が上向きに設けられており、これら支持台の上下動によって上刃と下刃が開閉し、長尺材料をシェアー切断する請求項１に記載のコンデンサ素子用材料の切断装置。
【請求項３】
上刃を備えた上刃用支持台と下刃を備えた下刃用支持台とが、おのおのリンクを介して、回転する溝カムに連結されており、溝カムにはこれらの支持台の上下動を案内するガイド溝が形成されており、各リンクの基端部が該ガイド溝に沿って摺動するように上記溝カムに係合しており、一方、各リンクの先端部はおのおの支持台に連結されており、溝カムの回転によってリンク基端部の上下動がガイド溝によって案内され、このリンクの上下動がリンク先端部に連結した各支持台に伝達され、各支持台の上下動によって上刃と下刃とが開閉して長尺材料を切断する請求項１または２に記載するコンデンサ素子用材料の切断装置。
【請求項４】
着脱自在な切断ユニットを備えた請求項１〜３のいずれかに記載の切断機構を複数台有するコンデンサ素子用材料の切断装置。
【請求項５】
上刃が超硬合金によって形成され、下刃が高合金高速度工具鋼によって形成されており、上刃及び下刃がアモルファス構造のカーボン硬質膜によって表面コーティングされている請求項１〜４のいずれかに記載のコンデンサ素子用材料の切断装置。
【請求項６】
上刃と下刃とのクリアリンスが０.０１〜０.０２mmに設定されている請求項１〜５のいずれかに記載のコンデンサ素子用材料の切断装置。
【請求項７】
長尺材料が弁作用金属材料である請求項１〜６のいずれかに記載のコンデンサ素子用材料の切断装置。
【請求項８】
弁作用金属が、アルミニウム、タンタル、ニオブ、チタン、ジルコニウムまたはこれらを含む合金である請求項１〜７のいずれかに記載のコンデンサ素子用材料の切断装置。
【請求項９】
長尺材料が、箔状、棒状または線状である請求項１〜８のいずれかに記載のコンデンサ素子用材料の切断装置。
【請求項１０】
請求項１〜９のいずれかに記載のコンデンサ素子用材料の切断装置を使用するコンデンサ素子の製造方法。
【発明の詳細な説明】
【技術分野】
【０００１】
本発明は、コンデンサ素子用陽極基体を帯状の原材料から切り出すコンデンサ素子用材料の切断装置およびコンデンサ素子の製造方法に関する。さらに詳しくは、切断刃の交換が容易であり、かつ切断サイクルの高速化に対応することができ、良好な切断面を得ることができるコンデンサ素子用材料の切断装置およびこの装置を使用するコンデンサ素子の製造方法に関する。
【背景技術】
【０００２】
導電性重合体を用いる固体電解コンデンサは、図５に示すように、陽極基体１上に誘電体酸化皮膜２を形成し、誘電体酸化皮膜２上で導電性重合体を形成して固体電解質層４とし、必要に応じてさらに導電ペースト等を付着させてなる基本構造（固体電解コンデンサ素子）を有する。陽極部（固体電解質を有しない陽極基体部分）と陰極部（導電性重合体を含む導電体層）との間にはマスキング３が設けられて陰陽両極部を絶縁する。
【０００３】
ここで、陽極基体１の製造方法としては、幅広の金属箔を用い、その側辺を櫛歯状に打ち抜き、多数の突起部分として形成する方法が知られている。これらの突起部分は、固体電解コンデンサを製造するのに必要な処理を受けた後、金属箔本体から切り離されてコンデンサ素子とされる（例えば、特開平５−１６６６８１号公報；特許文献１）。しかし、この方法では、十分な加工精度を得るのが困難であり、生産性も低い。
【０００４】
これに対して、帯状の金属箔を原材料として用い、これを所望の長さに応じて切り取ってコンデンサ素子用陽極基体を連続的に製造する装置が知られている（特開２００２−２０３７５６号公報特許；特許文献２）。この製造装置は、帯状の金属箔から矩形状の金属箔を連続的に切り出すので、コンデンサ素子を生産性よく製造できる利点を有している。
【０００５】
しかし、特許文献２の装置においても、磨耗などによって切断面が劣化した上刃または下刃の切断刃を取り替える際に、切断刃の交換に時間がかかる。しかも、交換した切断刃相互のクリアランスを調整する必要があり、この調整に熟練を要するなどの問題があった。また、さらなる生産性の向上が求められていた。
【特許文献１】特開平５−１６６６８１号公報
【特許文献２】特開２００２−２０３７５６号公報
【発明の開示】
【発明が解決しようとする課題】
【０００６】
本発明は、従来の切断装置における上記問題を解決したものであり、切断刃の交換を容易にし、かつ交換した切断刃相互のクリアランスの調整を不要にした切断装置を提供する。また、本発明は複雑な切断サイクルを高速化することができる切断装置を提供する。さらに、本発明は切断刃の寿命が長く耐久性に優れた切断装置を提供する。
【課題を解決するための手段】
【０００７】
すなわち本発明は、以下の構成を有するコンデンサ素子用材料の切断装置およびこの装置を使用するコンデンサ素子の製造方法を提供する。
１．コンデンサ素子用陽極基体を長尺材料から切り出す切断装置であって、長尺材料を切断する上刃を備えた上刃用支持台と下刃を備えた下刃用支持台とを有し、これらの支持台は装着台に上下摺動自在に装着されており、該装着台は着脱自在に装置本体に取り付けられており、上刃と下刃、これらの支持台、及び装着台からなる切断ユニットが装置本体に対して着脱自在に形成されていることを特徴とするコンデンサ素子用材料の切断装置。
２．装着台の表面に、一対のガイド部材が並列に設けられており、これらのガイド部材に上刃用支持台と下刃用支持台がおのおの上下摺動自在に設けられており、上刃用支持台はその上端部が下刃用支持台の上側に突き出ており、この上端部に上刃が下向きに設けられており、下刃用支持台の上端には下刃が上向きに設けられており、これら支持台の上下動によって上刃と下刃が開閉し、長尺材料をシェアー切断する前記１に記載のコンデンサ素子用材料の切断装置。
３．上刃を備えた上刃用支持台と下刃を備えた下刃用支持台とが、おのおのリンクを介して、回転する溝カムに連結されており、溝カムにはこれらの支持台の上下動を案内するガイド溝が形成されており、各リンクの基端部が該ガイド溝に沿って摺動するように上記溝カムに係合しており、一方、各リンクの先端部はおのおの支持台に連結されており、溝カムの回転によってリンク基端部の上下動がガイド溝によって案内され、このリンクの上下動がリンク先端部に連結した各支持台に伝達され、各支持台の上下動によって上刃と下刃とが開閉して長尺材料を切断する前記１または２に記載するコンデンサ素子用材料の切断装置。
４．着脱自在な切断ユニットを備えた前記１〜３のいずれかに記載の切断機構を複数台有するコンデンサ素子用材料の切断装置。
５．上刃が超硬合金によって形成され、下刃が高合金高速度工具鋼によって形成されており、上刃及び下刃がアモルファス構造のカーボン硬質膜によって表面コーティングされている前記１〜４のいずれかに記載のコンデンサ素子用材料の切断装置。
６．上刃と下刃とのクリアリンスが０.０１〜０.０２mmに設定されている前記１〜５のいずれかに記載のコンデンサ素子用材料の切断装置。
７．長尺材料が弁作用金属材料である前記１〜６のいずれかに記載のコンデンサ素子用材料の切断装置。
８．弁作用金属が、アルミニウム、タンタル、ニオブ、チタン、ジルコニウムまたはこれらを含む合金である前記１〜７のいずれかに記載のコンデンサ素子用材料の切断装置。
９．長尺材料が、箔状、棒状または線状である前記１〜８のいずれかに記載のコンデンサ素子用材料の切断装置。
１０．前記１〜９のいずれかに記載のコンデンサ素子用材料の切断装置を使用するコンデンサ素子の製造方法。
【発明の効果】
【０００８】
本発明の切断装置は、上刃と下刃をおのおの備えた摺動自在な支持台を有する切断ユニットを形成し、この切断ユニットを装置本体に対して着脱自在に取り付けることによって、切断ユニットごと交換できるようにしたので、切断刃の交換が極めて容易である。かつ予備の切断ユニットについて切断刃相互のクリアランスを予め調整しておけば、切断刃を交換したときに切断刃相互のクリアランスを交換ごとに調整する必要がなく、切断面が安定であり、精度良い切断効果を維持することができる。
【０００９】
また、本発明の切断装置は、好ましくは、溝カムに連結するリンク機構によって上刃と下刃の上下動を案内するようにしたので複雑な切断サイクルを高速化することができる。さらに好ましくは、本発明の切断装置は、上刃を超硬合金によって形成すると共に下刃を高合金高速度工具鋼によって形成し、上刃および下刃がアモルファス構造のカーボン硬質膜によって表面コーティングしているので、切断刃の寿命が長く、耐久性に優れている。また、良好な切断面を得ることができる。
【発明を実施するための最良の形態】
【００１０】
以下、図面を参照して本発明をより詳細に説明する。
本発明の切断装置は、コンデンサ素子用陽極基体を長尺材料から切り出す切断装置であって、長尺材料を切断する上刃を備えた上刃用支持台と下刃を備えた下刃用支持台とを有し、これらの支持台は装着台に上下摺動自在に装着されており、該装着台は着脱自在に装置本体に取り付けられており、上刃と下刃、これらの支持台、及び装着台からなる切断ユニットが装置本体に対して着脱自在に形成されていることを特徴とする。
【００１１】
長尺材料は、コンデンサ素子用陽極基体として機能し得る形状を連続されたものである。すなわち、製造すべきコンデンサ素子用陽極基体が矩形（短冊状）の薄板または箔である場合は、長尺材料は細長い薄板状材料または帯状（テープ状）材料であり、陽極基体が棒状または線状である場合は、長尺材料は細長い棒状材料または糸状材料である。単位体積当たりの高容量を実現するため、陽極基体としては矩形箔が好ましく、従って、長尺材料は帯状材料が好ましい。
【００１２】
以下の説明では、短冊状の金属箔を帯状金属箔から切り出す態様について述べるが、他の形状の長尺材料についても本発明は適用可能である。なお、長尺材料における「長尺」とは、切り出される個別片よりも寸法的に細長であることを意味する。
本発明に係る切断装置の一例を図１〜図４に示す。図示する切断装置は、帯状金属箔９０を切断する上刃１１を備えた上刃用支持台１０と、下刃２１を備えた下刃用支持台２０とを有する。これらの支持台１０、２０は装着台３０に上下摺動自在に装着されており、該装着台３０は着脱自在に装置本体４０に取り付けられている。
【００１３】
本発明の切断装置は、このように、上刃１１と下刃２１、各支持台１０、２０、および装着台３０によって切断ユニット５０が形成されており、上記装着台３０を介して切断ユニット５０が装置本体４０に対して着脱自在に形成されている。
【００１４】
切断ユニット５０の具体的な態様を図３および図４に示す。図示するように、装着台３０の表面に、一対のガイド部材３１，３２が並列に設けられており、これらのガイド部材３１，３２に摺動部材３３，３４を介して上刃用の支持台１０と下刃用の支持台２０がおのおの上下摺動自在に設けられている。摺動部材３３，３４はおのおのガイド部材に摺動自在に嵌合しており、該摺動部材３３，３４に支持台１０、２０がボルト止めされている。
【００１５】
上刃用の支持台１０はその上端部が下刃用支持台２０の上側に突き出ており、この上端部に上刃１１が下向きに設けられている。一方、下刃用支持台２０の上端には下刃２１が上向きに設けられている（上刃１１と下刃２１は特にハッチングして示してある。）。これら支持台１０，２０の上下動によって、上刃と下刃が開閉し、帯状金属箔をシェアー切断する。
【００１６】
上刃と下刃の駆動手段について、具体的な態様を図１および図２に示す。ここでは、連動する切断ユニットが対になって示されている。
図示するように、上刃１１を備えた上刃用支持台１０と下刃２１を備えた下刃用支持台２０とは、おのおの回転する溝カム６０ａ、６０ｂにリンク７０ａ、７０ｂを介して連結されている。リンク７０ａ、７０ｂは中央の軸支部分を中心にして揺動するように形成されている。一方、溝カム６０ａ、６０ｂにはこれらの支持台１０、２０の上下動を案内するガイド溝６１ａ、６１ｂ（図２では溝カム６０ａのガイド溝６１ａのみ見えているが、図示しないガイド溝６１ｂについても同様である。）が形成されており、各リンク７０ａ、７０ｂの基端部には紙面に垂直に突出したカムフォロア７１ａ、７１ｂ（図２ではリンク７０ａのカムフォロア７１ａのみ見えているが、カムフォロア７１ｂについても同様である。）が該ガイド溝６１ａ、６１ｂに沿って摺動するように上記溝カム６０ａ、６０ｂに係合している。一方、各リンク７０ａ、７０ｂの先端部７２ａ、７２ｂ（図では７０ｂに重なっている。）は各連結部材７３ａ、７３ｂを介しておのおの支持台１０、２０に連結されている。
【００１７】
ガイド溝６１ａ、６１ｂはその形状が切断サイクルに対応して支持台１０、２０の上下動を案内するように形成されており、溝カム６０ａ、６０ｂの回転によってカムフォロア７１ａ、７１ｂ（７１ｂは図示せず）を介してリンク基端部の上下動がガイド溝６１ａ、６１ｂによって案内され、このリンク７０ａ、７０ｂの上下動がリンク先端部７２ａ、７２ｂに連結した各支持台１０、２０に伝達され、各支持台１０、２０の上下動によって上刃１１と下刃２１とが開閉して帯状金属箔を切断する。図１では、向かって左側のユニットも同様の機構を有しているが、７２ａ、７２ｂの上下動を適当な連結機構により他方の支持台１０、２０に伝えてもよい。
【００１８】
ガイド溝６１（以下、この段落において６１ａ、６１ｂを合わせて指す。他の符号についても同様。）は、内径及び外径が溝カム６０の中心軸に対して所定の範囲で変動した数値を有する。すなわち、溝カム６０の適当な基準位置を０度としたとき、回転角θに応じてガイド溝６１の内径はｄｉ（θ）、ガイド溝６１の外径はｄｏ（θ）として設計される。ここで、ｄｏ（θ）−ｄｉ（θ）はカムフォロア７１を摺動可能に収容し得る値であり、通常は、θに依存しないほぼ一定の値である。カムフォロア７１が円滑に溝カム６０によってガイドされるように適当なθの関数としてもよい。
【００１９】
各関数ｄｉ（θ）、ｄｏ（θ）により切断刃の上下動を微細に制御可能である。例えば、図１に示す態様では、溝カム６０ａについて関数ｄｉ（θ）、ｄｏ（θ）が相対的に小さい領域で上刃１１は上方に位置し、ｄｉ（θ）、ｄｏ（θ）が相対的に大きい領域では上刃１１は下方に位置する。また、溝カム６０ａの回転速度を一定とした場合であっても、ｄｉ（θ）、ｄｏ（θ）の（θによる）微分値の大小によって、上刃１１の上下動の速度を制御し得る。図には示していないが、ガイド溝６１ｂの形状によって同様に下刃１２の動きも制御できる。
【００２０】
本発明の切断装置は、切断刃（上刃および下刃）の駆動手段について、以上のように、溝カムに連結するリンク機構によって切断刃の上下動を案内するようにしたので、ガイド溝の形状を切断刃の上下動を調整する湾曲した形状にすることによって、切断刃の上下動が切断サイクルに合わせて調整されるので、複雑な切断サイクルの高速化に対応することができる。
【００２１】
上記溝カム６０およびリンク７０によって制御された切断刃（上刃および下刃）による切断動作の一例を図５に示す。これは、帯状金属箔９０から所定長さずつ切断して個別の基体片を支持部材８２に熔接する態様を示したものである。図中、支持部材８２は通常、長尺の金属板であり、紙面の垂直方向がその長手方向に一致する。
すなわち、原位置（図５ａ）からピンチローラ８０によって支持された帯状金属箔９０が一定長さ送り出され、金属箔９０の先端が切断刃の手前に達すると（図５ｂ）、溶接ヘッド８１が下降して金属箔９０の先端を支持部材８２に押圧して溶接する（図５ｃ）。溶接後、溶接ヘッド８１が上昇して溶接箇所を離れる一方、上刃１１が切断位置に下降する（図５ｄ）。次いで下刃２１が上昇し、下刃２１が上刃１１に密接した状態で金属箔９０を切断する（図５ｅ）。切断後、下刃２１２が下降し（図５ｆ）、上刃１１との間に隙間が形成される（図５ｇ）。この隙間を保って上刃１１が上方に戻り（図５ｈ）、原位置に復帰して次の切断動作のために待機する。なお、この間、支持部材８２は紙面に対して垂直な方向に送られる。これらの動作の繰り返しにより、支持部材８２には所定の間隔を隔てて金属箔９０から切断されたコンデンサ素子用材料が固定される。
【００２２】
本発明の切断装置において、上刃を超硬合金によって形成すると共に下刃を高合金高速度工具鋼によって形成し、上刃および下刃をアモルファス構造のカーボン硬質膜によって表面コーティングしたものを用いると良い。下刃の材料である高合金高速度工具鋼は商品名ＡＳＰとして市販されているものがある。また、表面コーティング材のアモルファス構造を有するカーボン硬質膜としては商品名ＤＬＣ、ＸＰＣ、ＣＦＣとして市販されているものがある。
【００２３】
上記材質の切断刃は切断面が良好であると共に切断刃の寿命が長く、耐久性に優れている。因みに、上記材質の切断刃は従来の切断刃に対して５倍弱の寿命を有する。なお、上刃と下刃の両方に超硬合金を用いると、刃先どうしの衝撃等によって刃こぼれを生じる場合がある。下刃に硬度と靱性の高いＡＳＰ等を用いることによって、刃先の破損を生じることなく耐久性を高めることができる。さらに、耐摩耗性と耐凝着性に優れた上記表面コーテング材を用いることによって、刃先に帯状金属箔が付着するなどのトラブルの発生が少なく、良好な切断面を得ることができる。
【００２４】
また、本発明の切断装置は、切断ユニットが装置本体に対して着脱自在に形成されているので、切断ユニットごと交換することができ、従って、切断刃の交換が極めて容易である。因みに、従来は切断刃の交換に３０分〜１時間を要していたが、本発明の切断装置では約５分〜１０分程度で熟練者でなくとも交換することができる。
【００２５】
さらに、本発明の切断装置では、予備の切断ユニットについて切断刃相互のクリアランスを予め調整しておけば、切断刃を交換したときに切断刃相互のクリアランスを交換ごとに調整する必要がなく、切断面が安定であり、精度良い良好な切断面を得ることができる。因みに、例えば、上刃の刃先角度９０°、下刃の刃先角度２５°、上刃と下刃とのクリアリンスを０.０１〜０.０２mmに設定することによって、良好な切断面を得ることができる。
【００２６】
また、本発明の切断装置は、これを複数台並列に設けることによって作業時間を大幅に短縮することができる。図１の装置例は、２台の切断装置を並列に設置した態様を示している。各切断装置の溝カム６０は駆動モータ８３に連結されており、同時に回転して切断サイクルを実施する。
【００２７】
上記の特徴を含む限りにおいて、本発明はどのような固体電解コンデンサ素子の製造にも適用できる。例えば、基材は表面に誘電体酸化皮膜を有する弁作用金属である。弁作用金属は、アルミニウム、タンタル、ニオブ、チタン、ジルコニウムあるいはこれらを基質とする合金系の弁作用から選択することができる。
【００２８】
金属箔の場合、使用目的に適した厚さを用いることができるが、一般に厚み約４０〜１５０μｍの箔が使用される。また、箔の大きさ及び形状は用途により異なるが、幅約１〜５０ｍｍのものが好ましく、より好ましくは幅約２〜２０ｍｍ、さらに好ましくは幅約２〜５ｍｍである。
【００２９】
本発明は、上記の装置を使用するコンデンサ素子の製造方法を含む。すなわち、本発明の装置を用いて複数のコンデンサ素子用材料の切断を行ない支持部材に取り付けた後、コンデンサ素子を製造するための種々の処理を一括して行なう方法を含む。
このような処理としては、典型的には、誘電体皮膜形成のための化成処理、導電体層の形成、導電体層と電極との接続のための導体層の付与などが挙げられる。コンデンサ素子の製造方法は、例えば、以下の通りである。
【００３０】
はじめに、コンデンサ素子材料を支持部材に取り付けた状態で電解液に浸漬して通電することにより誘電体酸化皮膜を形成および／または修復し、誘電体皮膜上の所定の位置に導電体層形成のために必要な処理、例えば、導電体層が導電性重合体である場合はそのモノマーへの浸漬およびモノマーの重合に必要な処理（酸化剤の付着および／または通電）を行なう。さらに、必要に応じて導電ペーストへの浸漬および／またはその塗布を行なう。その他の処理、例えば、上記導電体層と陽極基体（通常は、コンデンサ素子用材料自体）間の絶縁を確実に行なうためのマスキング層の形成等を行なってもよい。なお、固体電解質層の形成方法、マスキング材料の塗布方法、陽極部及び陰陽極の構成は特に限定されない。また、必要に応じてマスキング層の形成前後に化成処理を行なってもよいが、この化成処理も慣用の任意の方法を用いることができる。
【００３１】
これらの処理を行なって図６に一例を示すコンデンサ素子構造を形成した後、コンデンサ素子用材料を支持部材から取り外して個々の独立したコンデンサ素子とする。通常はコンデンサ素子用材料を支持部材の縁部に沿って切断し、陰陽両極の基板（例えば、リードフレーム）上に熔接やハンダ付け等により固定してさらに樹脂で封止してコンデンサチップとする。
【００３２】
本発明の切断装置では、短時間で多数回の切断が可能であり、切断刃の劣化が少なく、かつ、切断刃もユニット化されて交換が容易である。このため、生産性に優れたコンデンサ素子の製造方法として有用である。
【図面の簡単な説明】
【００３３】
【図１】本発明の切断装置の一態様の概略を示す正面図である。
【図２】本発明の切断装置の一態様の概略を示す側面図である。
【図３】本発明に係る切断装置の切断ユニット部分の一態様の概略を示す正面図である。
【図４】本発明に係る切断装置の切断ユニット部分の一態様の概略を示す分離断面図である。
【図５】本発明に係る切断装置の切断サイクルについての説明図である。
【図６】典型的な固体電解コンデンサの構造を示す断面図である。
【符号の説明】
【００３４】
１  陽極部領域
２  陰極部領域
３  マスキング材料
４  多孔質層
１０  上刃用支持台
１１  上刃
２０  下刃用支持台
２１  下刃
３０  装着台
３１，３２  ガイド部材  
４０  装置本体
５０  切断ユニット
６０  溝カム
６１  ガイド溝
７０−リンク
７１−リンク基端部
７２−リンク先端部
７３−連結部材
８０−ピンチローラ
８１−溶接ヘッド
８２−支持部材
８３−駆動モータ
９０−長尺材料（帯状金属箔）
【図１】
0004548308.tif 000002
【図２】
0004548308.tif 000003
【図３】
0004548308.tif 000004
【図４】
0004548308.tif 000005
【図５】
0004548308.tif 000006
【図６】
0004548308.tif 000007